(57)【要約】【課題】医療機関の空床管理を簡易に行う。【解決手段】予約情報入力部１０から予約情報を入力する。予約情報は、執刀医、介助医、麻酔医師の要否、施術種類（術式）、糖尿、透析、呼吸疾患、部屋の種類等である。その後、空床割当ボタンをクリック操作して空床の検索を入院期間候補検索部１１に要求する。入院期間候補検索部１１は、医師スケジュール記憶部１６、施術プロフィール記憶部１２、入院予約状況記憶部１３等を参照して空床を検索する。施術プロフィールは施術ごとの標準入院期間や施術日を定義しており、これに基づいて、執刀医が施術日に勤務しており、かつ、標準入院期間分の空きがあるベッド（部屋）を検索する。入院期間候補表示部１４は、検索結果を表示画面１４ａに表示する。予約入院期間指定部１５により候補の１つを選択する。【選択図】　図２
2004038898.tif 000002
【特許請求の範囲】
【請求項１】
入院施設の予約状況を表す予約状況情報を記憶する入院施設予約状況記憶手段と、
施術の種類ごとに、標準入院期間を含む施術のプロフィールを記憶する施術プロフィール記憶手段と、
施術の種類を含む、患者の入院内容を規定する情報を入力する手段と、
入力された施術の種類に基づいて上記施術プロフィール記憶手段を参照して取得した標準入院期間を含む、上記入力された患者の入院内容を規定する情報に基づいて決定された入院内容に合致する空床を上記予約状況情報に基づいて検索する手段と、
ヒットした空床を、日付および入院施設識別子からなる二次元配列テーブルに、予定入院期間候補として表示する手段と、
上記テーブルに表示された上記予定入院期間候補のうちの１つを予約入院期間として指定する予約入院期間指定手段とを有することを特徴とする医療機関用空床管理装置。
【請求項２】
入院施設の予約状況を表す予約状況情報を記憶する施設予約状況記憶手段と、
患者の入院内容を規定する情報を入力する手段と、
上記入院内容に合致する空床を上記予約状況情報に基づいて検索する手段と、
ヒットした空床を、日付および入院施設識別子からなる二次元配列テーブルに、予定入院期間候補として表示する手段と、
上記テーブルに表示された上記予定入院期間候補のうちの１つを予約入院期間として指定する予約入院期間指定手段とを有することを特徴とする医療機関用空床管理装置。
【請求項３】
上記テーブルを用いて表示される予定入院期間のいずれの日に施術が行われるかを表示する請求項１または２記載の医療期間用空床管理装置。
【請求項４】
施術の予約状況を表す施術予約状況情報を記憶する施術予約状況記憶手段と、
上記背術よ低状況情報に基づいて上記予約入院期間の施術予定日の他の施術の状況を表示する手段とをさらに有する請求項３記載の医療機関用空床管理装置。
【請求項５】
上記テーブルにおいて設定された上記予約入院期間を、上記テーブル上の移動させる手段を有する請求項１〜４のいずれかに記載の医療機関用空床管理装置。
【請求項６】
上記テーブルにおいて設定された上記予約入院期間の長さを変更する手段を有する請求項１〜５のいずれかに記載の医療機関用空床管理装置。
【請求項７】
上記患者の入院内容を規定する情報は、特別な入院施設を必要とするかどうかを特定する情報も含む請求項１〜６のいずれかに記載の医療機関用空床管理装置。
【請求項８】
上記患者の入院内容を規定する情報は、施術の執刀医を特定する情報も含む請求項１〜７のいずれかに記載の医療機関用空床管理装置。
【請求項９】
上記背術の執刀医が施術可能な期間かどうかを参照して上記予定入院期間を決定する請求項８記載の医療機関用空床管理装置。
【請求項１０】
上記施術に必要な検査施設が利用可能かどうかを判断して上記予定入院期間を決定する請求項１〜９のいずれかに記載の医療機関用空床管理装置。
【発明の詳細な説明】
【０００１】
【発明の属する技術分野】
この発明は、医療機関における空床を管理する医療機関用空床管理装置に関する。
【０００２】
【従来の技術】
医療機関においては、施術に伴う入院の予約は、通常、医療機関の予約センタで集中的に行っていた。そして、紙ベースの予約簿を用いてどこに空床があるかを管理していた。入院の予約は、患者の希望と病院側の入院施設等の空き状況により、決定されるが、患者は、通常、予約簿を見ることがないから、混み具合が把握できず、選択肢が限定されたものとなる。このため患者の希望を十分に反映することが困難であった。また、予約センタでなく診察室等で、担当医師を交えながら入院日を決定して、医師の勤務状況等も勘案して、患者と医師との間で十分に納得をした上で決定を行うことも望まれる。
【０００３】
【発明が解決する課題】
この発明は、以上の事情を考慮してなされたものであり、患者の入院内容に基づいて空床の候補を検索し、その候補を入院期間として入院施設（ベッド、病室）および期日からなるテーブル上に表示し、このテーブルを用いて、簡易に入院期間を指定できる医療機関用空床管理装置を提供することを目的としている。
【０００４】
【課題を解決するための手段】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００５】
すなわち、この発明の一側面によれば、上述の目的を達成するために、医療機関用空床管理装置に：入院施設の予約状況を表す予約状況情報を記憶する施設予約状況記憶手段と；患者の入院内容を規定する情報を入力する手段と；上記入院内容に合致する空床を上記予約状況情報に基づいて検索する手段と；ヒットした空床を、日付および入院施設識別子からなるテーブルに、予定入院期間として表示する手段と；上記テーブルに表示された上記予定入院期間のうちの１つを予約入院期間として指定する予約入院期間指定手段とを設けるようにしている。
【０００６】
この構成においては、表示手段により表示されるテーブルを見て予約入院期間の候補を知ることができ、その候補から１つを選択して予約を行うことができる。
【０００７】
入院施設は、例えば、病室内のベッド、個室等である。
【０００８】
この構成において、上記患者の入院内容を規定する情報は入院時に行う施術とすることができる。施術ごとに入院期間や施術日が設定されている。したがって、いつ、どこに、入院可能かを判別できる。また、施術日に他の施術がどの程度行われるか知ることにより、施術の余裕をしることができる。もちろん、入院期間例えば１週間、１０日等をそのまま入力してもよい。おおよその入院期間の日付を入力してそれに近いもののみを選択して表示してもよい。その日付の周りに入院期間候補を表示画面に表示するようにしてもよい。
【０００９】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１０】
【発明の実施の形態】
以下、この発明の実施例について説明する。
【００１１】
図１は、この発明の医療機関用情報処理システムを全体として示しており、この図において、医療機関用情報処理システムは、複数のクライアント端末１００、通信ネットワーク（例えばＬＡＮ）１０１、データベース管理システム２００、複数のデータベース２０１〜２０７等を有して構成されている。医療情報用情報処理システムは、入院予約、診察予約、検査予約、医師スケジュール管理等を行うものである。このような管理を行うために患者情報データベース２０１、医師スケジュールデータベース２０２、施術プロフィールデータベース２０３、入院予約データベース２０４、施術予約データベース２０５、検査予約データベース２０６、診察予約データベース２０７等を有している。クライアント端末１００は、パーソナルコンピュータやワークステーション等の情報端末により構成される。十分な表示領域を有していれば、パーソナルデジタルアシスタントのような携帯型の情報機器でもよい。クライアント端末１００上には、データベース管理システム２００に検索要求を送り、検索結果に基づいて空床状況等を表示するためのクライアントアプリケーションが実行される。クライアントアプリケーションは、専用のアプリケーションであるが、ウェブサーバを設けてウェブベースで処理できるようにした場合には通常のウェブブラウザを用いてもよい。データベース管理システム２００は通常の関係データベース管理システムである。もちろん種々のデータベースシステムを利用でき、また、その他、種々の情報アクセス手法を利用できる。
【００１２】
クライアント端末１００は例えば診察室に配置されており、診察中、または診察後に、医師および患者が話し合いながら入院、診察、検査の予約とを行えるようになっている。
【００１３】
なお、以下の例では眼科の医療機関について説明するが、これに限定されないことはもちろんである。
【００１４】
以下では、入院予約管理（空床管理）、診察予約・検査予約、医師スケジュール管理について順に説明する。
【００１５】
［入院予約管理］
図２は、図１の医療機関用情報処理システムのうちの入院予約管理（空床管理）を行う部分（入院予約管理部ということもある）を模式的に示すものであり、この図において、入院予約管理部は、予約情報入力部１０、入院期間候補検索部１１、入院予約状況記憶部１３、入院期間候補表示部１４、予約入院期間指定部１５等を有して構成されている。入院期間候補表示部１４は、日付表示およびベッド（部屋）の表示から規定される二次元配列テーブルの表示画面１４ａを表示する。予約情報入力部１０、入院期間候補表示部１４、予約入院期間指定部１５は、例えば、図１のクライアント端末１００に実装され、入院期間候補検索部１１、入院予約状況記憶部１３は、例えば、１のデータベース管理システム２００側に設けられている。また、入院予約管理の基本的なフローは図３に示すようなものである。
【００１６】
また破線で示すように施術予約状況記憶部１６、医師スケジュール記憶部１７、検査予約状況記憶部１８が設けられ、より細かな入院予約管理が行われる。これについては図４以降の図面も参照して理解される。
【００１７】
図２および図３において、医師や看護士が図４に示すようなインタフェース画面を用いて予約情報入力部１０（クライアント端末１００）から予約情報を入力する。予約情報は、例えば、患者ＩＤを入力して図４に示すようなインタフェースを表示し、執刀医、介助医、麻酔医師の要否、施術種類（術式）、糖尿、透析、呼吸疾患、部屋の種類等を入力する。その後、空床割当ボタンをクリック操作して空床の検索を入院期間候補検索部１１に要求する（ステップＳ１０）。
【００１８】
入院期間候補検索部１１は、医師スケジュール記憶部１７（図１の医師スケジュールデータベース２０２）、施術プロフィール記憶部１２（図１の施術プロフィールデータベース２０３）、入院予約状況記憶部１３（図１の入院予約データベース２０４）を参照して空床を検索する（Ｓ１１）。施術プロフィールは施術ごとの標準入院期間や施術日（入院日から起算した日数）を定義しており、これに基づいて、執刀医が施術日に勤務しており、かつ、標準入院期間分の空きがあるベッド（部屋）を検索する。大部屋の場合、男女の別で制約を付けて検索を行う。
【００１９】
検索結果はたとえば図５に示すとおりであり、所定の色で入院期間の候補が表示される（Ｓ１２）。図５では、複数の候補がヒットしたので複数の候補が表示されている。すでに他人が予約した予約入院期間も所定の異なる色で表示されている（男女の別も異なる色で表示されている）。また入院期間候補のうち施術日がハイライトされている。
【００２０】
図５においては、左側にベッドの表示があり、上側に日付の表示があり、即座に空床を把握できる。
【００２１】
候補の表示は医師および患者の双方がみることができ、相談して予約入院期間を決定する。予約入院期間が決定したら図５において所望の候補の表示領域をクリック操作して指定する。この後、確定操作を行って（例えば空床割当ボタンを操作する）入院予約レコードを入院予約状況記憶部１３（図１の入院予約データベース２０４）に追加する（Ｓ１３、Ｓ１４）。
【００２２】
また、この例では、予約入院期間について、予約中または予約後に種々の変更を加えることができる。また、そのような変更を行う前に入院や施術に関する情報を取得することができる。
【００２３】
例えば、図６に示すように、候補を指定した上で、あるいは一旦確定した予約入院期間を再度指定してハイライトさせ（図６では破線で示す）、その上で、所望の施術日を右クリック操作で指定する。図６の場合、右クリック位置が候補（破線で示す）の後の日付位置であるので、「退院」（退院日をそこまで延ばす。入院期間を長くする）、「移動」（施術日を移動する。入院期間も同時に移動する）、「手術予約状況」（指定された日の手術予約状況を表示する）という３つのオプションのリストが表示され、「手術予約状況」を選択すると、その日の手術の件数が施術種類毎に件数表示される。また難易度ごとの表示が行われる。このような表示を見ることによりその日の医師団や病院の負荷を知ることができ、当該患者の施術状況を把握でき、また医療過誤を起こさないように配慮でき、その上で、患者、医師双方の合意で施術日を移動する。移動する場合には、図７に示すように「移動」をクリックすればよい。
【００２４】
同様に退院日を延長する場合には図８に示すように延長した退院日を指定した上で「退院」をクリックすればよい。
【００２５】
予約入院期間の範囲において、施術日を移動させることもできる。すなわち図９に示すように選択してハイライトさせた予約入院期間または候補の期間内で新たな施術日をクリックして指定する。そして、「移動」を選択して施術日を移動する。もちろん、図に示すように、移動後の施術日の施術予約状況を確認することが好ましい。
【００２６】
入院日をずらす場合には図１０に示すように入院したい日にクリックを行い、「入院」を選択すればよい。
【００２７】
なお、この例の空床表示テーブルでは、日付曜日が上方に表記されているのみであるので、分かりにくいので、図１１に示すように、ポインタが一定期間止まっているとその位置の日付、曜日が表示される。またベッドの番号も左側に表記されるのみであるので、同様にポインタが一定期間止まっているときにその位置に表示されるようになっている。
【００２８】
また、手術予約状況が表示されているときに図１２に示すように施術の種類やその件数を指定して予約内容を表示し、さらに表示した予約者の連絡先に基づいて自動的に電話をかけ、必要な処理、例えば、予約の取消等を通知することができる。
【００２９】
なお、図１３に示すように、カレンダ表記を行って施術日を指定してもよい。一回の入院で２つの手術（例えば右目と左目）を行う場合でも、施術日の間隔を容易に理解できる。
【００３０】
また、この例では、一旦、決定した予約入院期間を後日に変更する場合でも容易に対処できる。すなわち、図１４に示すように、該当する患者を指定する。そうすると、図１５に示すように当該患者の予約入院期間がハイライトされ（破線で示す）、移動させたい日をクリックして「移動」を選択すればよい（図１６）。
【００３１】
また、図１７に示すように、術眼１および術眼２がある場合にそれぞれの施術日を変更することができる。
【００３２】
［診察予約・検査予約］
つぎに診察予約・検査予約について説明する。この予約も基本的には診察室で行う。この予約には図１に示す医師スケジュール記憶部１７や検査予約状況記憶部１８（検査予約データベース２０６、診察予約データベース２０７）を用いる。
【００３３】
診察予約を行うにはまず当該患者のＩＤを入力して図１８に示すような診察予約画面を表示し、カレンダダイアログを用いてカレンダから希望診察日を入力する。また担当医も指定する。そうすると、図１９に示すように、指定された医師の時間帯毎の診察予約状況が表示される。診察予約状況は、所定時間枠あたりの医師毎の限界値を基準に表記される。すなわち、その時間枠で対処できる患者の上限値を予め医師ごとに決めておき、これに、現在の予約患者数を対比させる。図では、分母に限界値、分子に現在の予約患者数を表記している。また、その比率に応じてすなわち混み具合に応じて色分け等を行い、どの時間帯で予約を行う方がいいのかを容易に把握できるようにしている。また、各時間帯の予約患者の情報を取得して所望の連絡等を簡易に行うことができる。
【００３４】
同様に検査の予約を行うことができる。
【００３５】
また、図２０に示すように、診察にあわせて検査を行う場合には、その旨をチェックすれば、図２１に示すように、診察と検査の予約状況が同時に表示され、診察と検査を同時に指定できる。
【００３６】
また、複数の検査を行う場合には、図２２に示すように、それぞれの検査の混み具合を考慮して時間をずらして予約することができる。
【００３７】
［医師スケジュール管理］
つぎに医師スケジュール管理について説明する。
【００３８】
医師のスケジュールを医師ごとに個別に入力していくのは大変な作業なので、この例では、大まかなルールを作成して、そのルールに基づいて医師のスケジュールを作成する。そののち必要な範囲で個別のスケジュールを変更する。また医師のスケジュールの変更により予約の取消が必要となり患者に連絡する必要が生じる。この場合にも簡単に対処できるようにする。
【００３９】
医師スケジュールの大まかなルールは例えば図２３に示すようなものであり、手術担当、病棟診察担当等に応じて決定する。このルールに従って図２４に示すような医師全部のスケジュールが決定される。この後図２５に示すように時間駒ごとに指定して変更処理を行う。
【００４０】
このような変更処理により診察や施術の予約を取り消さなくてはならなくなった場合には図２６に示すような、連絡が必要な患者への当該連絡が完了していない医師がハイライト表記される。ハイライトされている医師をクリック操作すると、図２７に示すように、患者の電話番号等が表示され、電話連絡に際して、「変更」、「キャンセル」、「留守録」、「不在」、「連絡不要」を選択する。そしてすべての患者について連絡完了となるまで先のハイライトが表示される。なお、「変更」、「キャンセル」、「連絡不要」を選択した場合には、その状況が「連絡完了」と表記される。「留守録」や「不在」を選択した場合には「留守録」、「不在」の状況が表示される。
【００４１】
また、図２８に示すように、カレンダ表記からスケジュール変更（不都合による診察、施術の取消）を行ってもよい。図２８の例では医師側のみでなく、患者側を指定してスケジュールを変更することもできる。
【００４２】
以上で実施例の説明を終了する。なお、実施例の説明を終了するにあたり、その技術的な特徴をまとめておく。
【００４３】
この実施例の第１の特徴によれば、医療機関用空床管理装置に：入院施設の予約状況を表す予約状況情報を記憶する入院施設予約状況記憶手段と；施術ごとに、標準入院期間を含む施術のプロフィールを記憶する施術プロフィール記憶手段と；施術の種類を含む、患者の入院内容を規定する情報を入力する手段と；入力された施術の種類に基づいて上記施術プロフィール参照手段を参照して取得した入院期間を含む、上記入力された患者の入院内容を規定する情報に基づいて決定された入院内容に合致する空床を上記予約状況情報に基づいて検索する手段と；ヒットした空床を、日付および入院施設識別子からなる二次元配列テーブルに、予定入院期間候補として表示する手段；上記テーブルに表示された上記予定入院期間候補のうちの１つを予約入院期間として指定する予約入院期間指定手段とを設けるようにしている。
【００４４】
この構成においては、表示手段により表示されるテーブルを見て予約入院期間の候補を知ることができ、その候補から１つを選択して予約を行うことができる。
【００４５】
また、この実施例の第２の特徴によれば、診察／検査予約装置に：診察／検査の予約上限に対応する値を記憶する手段と；実際の予約数を記憶する手段と；上記予約上限に対応する値および実際の予約数に応じて予約状況を表示する手段とを設けるようにしている。
【００４６】
この構成においては、医師の能力等に応じた予約上限に基準にして予約状況を表示するので正確な予約状況を把握できる。
【００４７】
また、診察予約と検査予約を関連づけて予約する際に双方の予約状況を同時に把握できるようにすることが好ましい。
【００４８】
また、この実施例の第３の特徴によれば、医師スケジュール管理装置に：医師スケジュールのルールを入力する手段と；上記入力したルールに基づいて各医師のスケジュールを決定する手段と；上記スケジュールを時間駒ごとに変更する手段とを設けるようにしている。
【００４９】
この構成においては、医師ごとにスケジュールを入力する手間が大幅になくなり、医師スケジュールの管理を容易に行える。
【００５０】
医師のスケジュールに変更があり、診察や施術について変更が必要な患者について連絡が未完の間は対応する表示を行うことが好ましい。患者のプロフィールデータから電話番号等を入手しコンピュータ・テレフォニ・インテグレーション（ＣＴＩ）手法を用いて簡易に連絡を行うことが可能である。もちろん、ＣＴＩを用いなくてもよい。
【００５１】
なお、この発明は上述の実施例に限定されるものではなくその趣旨を逸脱しない範囲で種々変更が可能である。
【００５２】
【発明の効果】
以上説明したように、この発明によれば、医療機関の空床管理を容易に行うことができる。
【図面の簡単な説明】
【図１】この発明の実施例のシステム構成を説明する図である。
【図２】上述実施例の空床管理部分を模式的に示すブロック図である。
【図３】上述の空床管理部分の大まかな処理を説明するフローチャートである。
【図４】入院予約情報を入力する画面の例を説明する図である。
【図５】空床表示用テーブルの例を説明する図である。
【図６】予約期間を移動させる操作を説明する図である。
【図７】予約期間を移動させた状態を説明する図である。
【図８】退院日を変更する操作を説明する図である。
【図９】施術日を変更する操作を説明する図である。
【図１０】入院日を変更する操作を説明する図である。
【図１１】日付およびベッド表示を説明する図である。
【図１２】手術予約状況と患者の連絡方法とをリンクする例を説明する図である。
【図１３】カレンダ表記で予約期間を指定する例を説明する図である。
【図１４】患者情報から予約期間を検索してその期間を変更する例を説明する図である。
【図１５】患者情報から予約期間を検索した状態を説明する図である。
【図１６】患者情報から予約期間を検索してその期間を変更した状態を説明する図である。
【図１７】施術日が２つある場合にそれぞれを移動させる例を説明する図である。
【図１８】診察予約をカレンダダイアログから入力する例を説明する図である。
【図１９】診察予約の予約状況を色分けして表示する例を説明する図である。
【図２０】診察予約と検査予約を同時に行う例を説明する図である。
【図２１】診察予約および検査予約の予約状況を色分けして表示する例を説明する図である。
【図２２】一連の検査の予約状況に応じて検査の時間をずらすことを説明する図である。
【図２３】医師スケジュールのルールの例を説明する図である。
【図２４】ルールに従って各医師のスケジュールを自動的に生成した例を説明する図である。
【図２５】個別の時間駒ごとに医師のスケジュールを変更する例を説明する図である。
【図２６】スケジュール変更に伴う診察等の変更操作を警告する表示例を説明する図である。
【図２７】患者等への連絡作業を説明する図である。
【図２８】カレンダ表記を用いてスケジュールの変更操作を行う例を説明する図である。
【符号の説明】
１０　　　予約情報入力部
１１　　　入院期間候補検索部
１３　　　入院予約状況記憶部
１４　　　入院期間候補表示部
１４ａ　　　表示画面
１５　　　予約入院期間指定部
１６　　　施術予約状況記憶部
１７　　　医師スケジュール記憶部
１８　　　検査予約状況記憶部
１００　　　クライアント端末
２００　　　データベース管理システム
２０１　　　患者情報データベース
２０２　　　医師スケジュールデータベース
２０３　　　施術プロフィールデータベース
２０４　　　入院予約データベース
２０５　　　施術予約データベース
２０６　　　検査予約データベース
２０７　　　診察予約データベース
【図１】
2004038898.tif 000003
【図２】
2004038898.tif 000004
【図３】
2004038898.tif 000005
【図４】
2004038898.tif 000006
【図５】
2004038898.tif 000007
【図６】
2004038898.tif 000008
【図７】
2004038898.tif 000009
【図８】
2004038898.tif 000010
【図９】
2004038898.tif 000011
【図１０】
2004038898.tif 000012
【図１１】
2004038898.tif 000013
【図１２】
2004038898.tif 000014
【図１３】
2004038898.tif 000015
【図１４】
2004038898.tif 000016
【図１５】
2004038898.tif 000017
【図１６】
2004038898.tif 000018
【図１７】
2004038898.tif 000019
【図１８】
2004038898.tif 000020
【図１９】
2004038898.tif 000021
【図２０】
2004038898.tif 000022
【図２１】
2004038898.tif 000023
【図２２】
2004038898.tif 000024
【図２３】
2004038898.tif 000025
【図２４】
2004038898.tif 000026
【図２５】
2004038898.tif 000027
【図２６】
2004038898.tif 000028
【図２７】
2004038898.tif 000029
【図２８】
2004038898.tif 000030